(57)【要約】【解決手段】電気システム用の分岐コネクタ組立体は、コネクタに接続するための第１接続部、第２接続部及び第３接続部（６，７，８）を含む本体（２）を具備する。第１接続部及び第２接続部（６，７）のコンタクトは、コネクタ組立体の本体の内側に受容された第１グループの金属ピン（Ｒ１）の対向する端部により画定される。第３接続部（８）のコンタクトは、第１グループのピンと平行にこれらのピンから離隔して配置される第２グループの金属ピン（Ｒ２）により画定される。第１グループの各ピンは、平坦な薄板の形態の金属製架橋部材（Ｂ）により第２グループの各ピンに電気接続される。架橋部材の平坦な薄板は、架橋部材により接続されたピンの軸を含む平面にほぼ沿って延びると共に各金属ピンを取り囲み且つ把持する弾性変形可能な開放ブッシュを画定する折り返し部を各端部に一体的に有する。
2013520764.tif 000002
【特許請求の範囲】
【請求項１】
コネクタに接続するための少なくとも第１接続部（６）、第２接続部（７）及び第３接続部（８）を含む本体（２）を具備する、電気システム用の分岐コネクタ組立体であって、前記第１接続部及び前記第２接続部は互いに整列すると共に逆向きを向き、前記第３接続部は前記第２接続部の横に平行に配置され、前記接続部の各々は複数のコンタクト（Ｐ，ＦＥ）を有するに分岐コネクタ組立体において、
前記第１接続部及び前記第２接続部の前記コンタクトは、第１グループの金属ピン（Ｒ１）の対向する端部により画定されると共に前記コネクタ組立体の前記本体の内側に受容され、
前記第３接続部の前記コンタクトは、前記第１グループの金属ピンと平行に該第１グループの金属ピンから離隔して配置される第２グループの金属ピン（Ｒ２）により画定され、
前記第１グループのピンの各々は、平坦な薄板の形態の金属製の架橋部材（Ｂ）により前記第２グループの各ピンに電気接続され、
前記架橋部材の前記平坦な薄板は、前記架橋部材により接続される前記ピンの軸を含む平面にほぼ沿って延びると共に前記金属ピンの各々を取り囲み且つ把持する弾性変形可能な開放ブッシュを画定する折り返し部（Ｍ）を各端部に一体的に有することを特徴とする分岐コネクタ組立体。
【請求項２】
前記第１グループのピン及び前記第２グループのピンは、該２グループのピンに対で接続する前記架橋部材が異なる平面にあり且つ互いに平行に位置するように、各中心軸の周りに周方向に等距離となるように配置されることを特徴とする請求項１記載のコネクタ組立体。
【請求項３】
前記コネクタ組立体の前記本体は、互いにねじ（５）で接続された第１ケース部（３）及び第２ケース部（４）と、該第１ケース部及び第２ケース部間に配置されたリング状シール（１１）とを具備し、
前記第１ケース部は前記第１接続部と一体化し、
前記第２ケース部は前記第２接続部及び前記第３接続部と一体化することを特徴とする請求項２記載のコネクタ組立体。
【請求項４】
前記第１グループ及び前記第２グループの前記金属ピンの各々は、ソケット（ＦＥ）として形成された一端及びプラグ（Ｐ）として形成された他端と、前記本体のキャビティに圧入で挿入するために拡大径を有する複数のカラー（１３）とを一体的に有することを特徴とする請求項３記載のコネクタ組立体。
【請求項５】
前記架橋部材は、前記第２ケース部の前面（４ｂ）に形成された着座部（Ｓ）にそれぞれ受容され、
前記着座部は、前記金属ピンが前記コネクタ組立体の前記本体に挿入でき、前記架橋部材が前記着座部に最初に一旦配置されると内部に保持できるように、互いに平行に離間したスリットの形態で設けられると共に、前記金属ピンを受容し前記前面内に開放するキャビティ（Ｆ）により区画される幅広の端部を有することを特徴とする請求項４記載のコネクタ組立体。
【請求項６】
前記第１接続部は、筒状体であり、前面（６ａ）を有し、
前記前面からは、筒状のキャビティ（Ｄ）が軸方向に延び、
前記筒状のキャビティには、前記金属ピンの各々のプラグ端部が受容されることを特徴とする請求項５記載のコネクタ組立体。
【請求項７】
前記第２接続部及び前記第３接続部の各々は、筒状基部（７１，８１）を具備し、
前記筒状基部からは、複数の管状部材（Ｃ）が軸方向に延び、
前記管状部材には、前記金属ピンの各々のソケット端部が配置され、
前記第２接続部及び前記第３接続部の各々は、前記筒状基部に接続された管状ケース（７０，８０）を具備することを特徴とする請求項５記載のコネクタ組立体。
【発明の詳細な説明】
【技術分野】
【０００１】
本発明は、電気システム、特にコネクタに接続するための少なくとも第１接続部、第２接続部及び第３接続部を含む本体を具備するタイプの、電気システム用の分岐（shunt）コネクタ組立体に関する。ここで、第１接続部及び第２接続部は互いに整列すると共に逆向きを向き、第３接続部は第２接続部の横に平行に配置され、各接続部は複数のコンタクトを有する。
【背景技術】
【０００２】
上述したタイプのコネクタ組立体は、例えば商店の家具や建具、商用冷蔵庫、建築用途、公共建築物、学校、病院における光源に電源を供給するために、様々な用途、特に16アンペアで作動する電気システムに用いられる。
【発明の開示】
【発明が解決しようとする課題】
【０００３】
この種の全ての用途において、極めて小型で、機能的で、同時に設置中の取扱いが容易で、製造段階で簡単且つ迅速な手順で組立可能なコネクタ組立体を提供することが特に利点がある。
【課題を解決するための手段】
【０００４】
上述の目的を達成するために、本発明は、本明細書の最初に述べられた構造を有し、以下の特徴を有する分岐コネクタ組立体に関する。
第１接続部及び第２接続部のコンタクトは、円形部の第１グループの金属ピンの対向する端部により画定されると共にコネクタ組立体の本体の内側に受容され、第３接続部のコンタクトは、第１グループのピンと平行にこれらのピンから離隔して配置される円形部の第２グループの金属ピンにより画定され、
第１グループの各ピンは、平坦な薄板の形態の金属製の架橋部材により第２グループの各ピンに電気接続され、架橋部材の平坦な薄板は、架橋部材により接続されたピンの軸を含む平面にほぼ沿って延びると共に各金属ピンを取り囲み且つ把持する弾性変形可能な開放ブッシュを画定する折り返し部を各端部に一体的に有する。
【０００５】
好適な一実施形態において、第１グループのピン及び第２グループのピンは、これら２グループのピンに対で接続する架橋部材が異なる平面にあり且つ互いに平行に位置するように、各中心軸の周りに周方向に等距離となるように配置される。
【０００６】
上述の好適な実施形態の場合、コネクタ組立体の本体は、互いにねじで接続された第１ケース部及び第２ケース部と、それらの間に配置されたリング状シールとを具備する。第１ケース部は第１接続部と一体化し、第２ケース部は第２接続部及び第３接続部と一体化する。
【０００７】
第１グループ及び第２グループの円形部の上述した各金属ピンは、ソケットとして形成された一端及びプラグとして形成された他端と、中間において組立体の本体のキャビティに圧入で挿入するために拡大径を有する複数のカラーとを一体的に有する。上述した架橋部材は、第２ケース部の前面に形成された着座部にそれぞれ受容され、着座部は、金属ピンがコネクタ組立体の本体に挿入でき、架橋部材が着座部に最初に一旦配置されると内部に保持できるように、互いに平行に離間したスリットの形態で設けられると共に、上述した金属ピンを受容し上述した前面内に開放するキャビティ（Ｆ）により区画される幅広の端部を有する。
【０００８】
上述した好適な実施形態の場合、上述した第１接続部及び第２接続部は、断面が円形である形状を有する。第１接続部は、筒状体であり、筒状のキャビティが軸方向に延び、各金属ピンのプラグ端部が受容される前面を有する。第２接続部及び第３接続部の各々は、複数の管状部材が軸方向に延び、各金属ピンのソケット端部が配置される筒状基部を具備する。
【０００９】
本発明に係るコネクタ組立体において、２グループの金属ピンを対で接続する上述した架橋部材は、同時に電気導体として作用する能動接続部と、接続部を固定するばね機構とを有する。
【００１０】
本発明のさらなる特徴及び利点は、限定目的でない例示により提供される添付図面を参照して以下の詳細な説明を読めば明確になるであろう。
【図面の簡単な説明】
【００１１】
【図１】本発明に係るコネクタ組立体の好適な一実施形態の斜視図である。
【図２】本発明に係るコネクタ組立体の好適な一実施形態の斜視図である。
【図３】図１のコネクタ組立体の分解斜視図である。
【図４】図１のコネクタ組立体を組み立てる手順の各段階を示す斜視図である。
【図５】図１のコネクタ組立体を組み立てる手順の各段階を示す斜視図である。
【図６】図１のコネクタ組立体を組み立てる手順の各段階を示す斜視図である。
【図７】図１のコネクタ組立体を組み立てる手順の各段階を示す斜視図である。
【図８】図１のコネクタ組立体を組み立てる手順の各段階を示す斜視図である。
【図９】図１のコネクタ組立体を組み立てる手順の各段階を示す斜視図である。
【図１０】図１のコネクタ組立体を組み立てる手順の各段階を示す斜視図である。
【図１１】図１のコネクタ組立体を組み立てる手順の各段階を示す斜視図である。
【図１２】図１のコネクタ組立体の正面図である。
【図１３】図１２のXIII−XIII線に沿った断面図である。
【図１４】図１２のXIV−XIV線に沿った断面図である。
【図１５】本発明に係るコネクタ組立体の部品を示す拡大斜視図である。
【発明を実施するための形態】
【００１２】
図面において、参照番号１は、全体として本発明に係るコネクタ組立体の一実施形態を指す。コネクタ組立体は、例えば商店の家具や建具、商用冷蔵庫、建築用途、公共建築物、学校、病院における光源に電源を供給する電気システムに使用できる。本明細書に示される例は、インレットからアウトレットに16アンペア、交流240ボルトまでの電流を流すための分岐（シャント）又はスプリッタとして適用可能な３個の接続部を有するタイプである。
【００１３】
コネクタ組立体１は、全体として参照番号２で示される本体を具備する。本体２は、プラスチック材料製の２個のケース部３，４により区画される。ケース部３，４は、ねじ５により互いに連結され前後方向に並列したフランジ３ａ，４ａを有する。
【００１４】
第１ケース部３はコネクタ（図示せず）に接続するための第１のほぼ筒状接続部６（図３も参照）を区画するのに対し、第２ケース部４はコネクタ（図示せず）に接続するための第２接続部７及び第３接続部８を区画する。接続部６，７は互いに整列して互いに逆向きを向くのに対し、接続部８は接続部７と平行に接続部７の横に配置される。
【００１５】
特に図１、図３、図７、図１３及び図１４に見られるように、接続部６は、前面６ａを有するほぼ筒状部である。前面からは、３個の筒状キャビティＤが軸方向に延びる。筒状キャビティＤは、筒状部６の中心軸の周りに周方向に沿って配置される。図１３及び図１４に見られるように、筒状キャビティＤは、筒状部６の軸方向の一部上に延びており、次に、小径の筒状穴６ｃが、ケース部３の反対側の端まで各筒状キャビティＤの基部から延びている。さらに、例えば図１、図７及び図１３に見られるように、筒状部６は、筒状部６に接続されるコネクタ（図示せず）の対応する表面と係合するために、直径方向に対向する領域の筒状部６の外面に形成された２個の楔状歯部Ｔを有する。
【００１６】
特に図３、図４ないし図７、図１３及び図１４に見られるように、ケース部４により区画された第２接続部７及び第３接続部８は、ケース部４の筒状基部７１，８１上に実装される薄い壁を有するプラスチック材料製の外側管状ケース７０，８０をそれぞれ具備する。基部７１，８１は、その上にケース７０，８０を保持するために、外側ケース７０，８０（図３参照）の端縁の対応する凹部Ｚに嵌まる周辺凸部Ｒを有する。これらの基部７１，８１はまた、その外面に、ケース７０，８０を基部７１，８１に保持するために、ケース７０，８０の開口Ｗと協働する、直径方向に対向する領域の楔状歯部Ｔを有する。
【００１７】
２個の筒状基部７１，８１の各々から始まり、ケース部４は、各筒状基部の軸の周りに周方向に沿って等距離となるように配置された３個の管状部材Ｃを組み込む。図１３及び図１４に見られるように、管状部材ＣのキャビティＦは、ケース部４（図６及び図７も参照）の前面４ｂに開放するように各基部７１，８１を貫通する。図６及び図７に見られるように、上述した前面４ｂには、着座部Ｓが互いに平行に離間したスロットとして形成されている。各着座部Ｓは、上述のキャビティＦの各々により形成された幅広端部を有する。着座部Ｓは、その内部に、弾性変形可能なブッシュＭを形成するよう曲げ端部を有する平坦な薄板の形態の、例えば錫めっきされた銅合金等の導電金属材料製の架橋部材Ｂを受容する。
【００１８】
本発明に係るコネクタ組立体の接続部６，７，８に接続された金属コンタクトは、２グループの３個の金属ピンＲ１，Ｒ２（特に図１０参照）により形成される。各ピンは、導電性金属材料製であり、旋盤により一体で製造される。各金属ピンは、プラグコンタクトＰを区画する一端と、端部ソケットが弾性変形可能な翼部Ｇの内側に区画されたソケットコンタクトＦＥを区画する反対側の端とを有する。
【００１９】
第１グループの金属ピンＲ１は、より長く、プラグ端Ｐが接続部６の筒状キャビティＤの内側に配置された雄型コンタクトを形成するように、整列した接続部６，７（図１３及び図１４参照）の全長にわたってより多く挿入される。他方、端ＦＥは、接続部７の管状部材Ｃの内側に配置された雌型コンタクトを形成する。
【００２０】
管状部材Ｃは、接続コネクタ（図示せず）のキャビティの内側に収容される寸法に設定され、これらのキャビティは接続部６のキャビティＤと同じであることに留意されたい。同様に、キャビティＤは接続コネクタの管状部材を受容するよう構成され、管状部材は本明細書に開示されたコネクタ組立体の管状部材と同じである。
【００２１】
接続部８の管状部材Ｃの内側に受容されるソケット端ＦＥが用いられるので、第２グループの金属ピンＲ２は第１グループの金属ピンＲ１より短い。ピンＲ２の反対側のプラグ端Ｐは、代わりに、ケース部３の閉鎖部８’に受容され、コンタクトとして使用されない。
【００２２】
本明細書に開示される実施形態において、本発明に係るコネクタ組立体は、接地コンタクト、中性コンタクト及び位相コンタクトをそれぞれ形成する、各接続部６，７，８に接続された３個の金属コンタクトを有する。図１３及び図１４を参照すると、２個の金属ピンＲ１は中性コンタクト及び位相コンタクトを画定するのに対し、図１４の金属ピンＲ１は接地コンタクトを画定する。他のコネクタに接続する際に、接地コンタクトが中性コンタクト及び位相コンタクトより前に接続し、嵌合解除の際には接地コンタクトが最後に接続解除されなければならない場合、図１４のピンＲ１は図１３のピンＲ１より若干長いことが理解できる。
【００２３】
図３を再度参照すると、３個の貫通孔を有する円盤の形態のシールワッシャ１０がケース部４の管状部材Ｃ上に取り付けられるのに対し、Ｏリングタイプのリング状シール１１はケース部３の凸部３ｃの前面の周縁１２（図４及び図５参照）上に載置される。図７に見られるように、リング状シール１１が載置された凸部３ｃの前面は、前面４ｂと接した状態で、ケース部４と一体に形成された周辺スリーブ１２の内側に受容される。
【００２４】
図１５を参照すると、各架橋部材Ｂは、第１グループの１本のピンＲ１を第２グループの１個のピンＲ２に電気接続する。各架橋部材Ｂの平坦な薄板本体は、各ピンＲ１，Ｒ２の互いに平行で離間した軸により画定される平面内にほぼ延びる。特に図６及び図１２に見られるように、２グループのピンは、ピンがシールＳにより画定される互いに平行で離間した平面内に配置される３個の架橋部材Ｂにより対で接続できるように、周辺配置される。各架橋部材Ｂの各弾性ブッシュ端Ｍが各ピンを取り囲むと共に把持するので、架橋部材Ｂは、電気接続部材及び保持ばねとして同時に作用する。
【００２５】
最後に、図１５は、各キャビティＦ（図１３及び図１４も参照）の内側で各ピンＲ１，Ｒ２の圧入を確保するために、拡大された直径Ｒを有する１組のカラーを有することを明確に示す。
【００２６】
図４ないし図１１は、本発明に係るコネクタ組立体を組み立てる一連の工程を示す図である。
【００２７】
図４を参照すると、リング状シール１１は、ケース部３（図５参照）の凸部３ａの前面の周囲に配置される。リング状シール１１が一旦配置されると、架橋部材Ｂはケース部４（図６参照）の前面４ｂの着座部Ｓに実装される。このため、２個のケース部３，４は、組立可能となり（図７参照）、ねじ（図８参照）により所定位置で保持される。２個のケース部３，４が接続される際に、架橋部材Ｂは、ケース部４の着座部Ｓの内側に受容される層状突起Ｓ’（図４及び図５参照）により着座部に保持されることに留意されたい。ねじ５が一旦ねじ込まれると（図９参照）、２グループのピンＲ１，Ｒ２は、先端としてのプラグ端Ｐを用いて接続部７，８の管状部材Ｃの内側に挿入されることにより、各キャビティ内に導入される。これらのピンは、ソケット端ＦＥが管状部材Ｃの内部キャビティの内側に形成された停止面１４（図１３及び図１４参照）に接触するまで挿入される。この場合、各ピンＲ１，Ｒ２は、カラー１３にもより、基部７１，８１を通過する穴の内側に圧入で保持される。また、この状態では、各架橋部材Ｂの各弾性ブッシュ端Ｍは、各ピンを受容し、電気的接続及び機械的接続を形成する。従って、架橋部材Ｂはこれら両機能を果たす。この点において、シール円盤１０が組み込み可能であるので、ケース７０，８０は、開口Ｗ内で歯部Ｔの係合により基部７１，８１上に保持可能である。
【００２８】
上述の事項から明白であるように、金属ピンＲ１，Ｒ２が挿入されると、架橋部材Ｂの端部により形成された弾性変形可能なブッシュＭは、金属ピンを取り囲み且つ収容するように変形する。このため、ピンに対して機械的接続及び電気的接続を確保するよう構成された法線方向の接触力が生ずる。従って、このような架橋部材の目的は、一方でインレットからアウトレットに電流を分配することであり、他方で接続を保持するばねを一体に組み込むことである。
【００２９】
当然のことながら、本発明の開示の原理に影響を与えることなく、構造の詳細及び実施形態は、本発明の範囲を逸脱することなく、例示により説明及び図示されたものから大きく変わってもよい。
【符号の説明】
【００３０】
２    本体
３    第１ケース部
４    第２ケース部
４ｂ  前面
５    ねじ
６    第１接続部
６ａ  前面
７    第２接続部
８    第３接続部
１１  リング状シール
１３  カラー
７０  ケース
７１  筒状基部
８０  ケース
８１  筒状基部
Ｂ    架橋部材
Ｃ    管状部材
Ｄ    筒状キャビティ
Ｆ    キャビティ
ＦＥ  ソケット端（コンタクト）
Ｍ    弾性ブッシュ端（折り返し部）
Ｐ    プラグ端（コンタクト）
Ｒ１  金属ピン
Ｒ２  金属ピン
Ｓ    着座部
【図１】
2013520764.tif 000003
【図２】
2013520764.tif 000004
【図３】
2013520764.tif 000005
【図４】
2013520764.tif 000006
【図５】
2013520764.tif 000007
【図６】
2013520764.tif 000008
【図７】
2013520764.tif 000009
【図８】
2013520764.tif 000010
【図９】
2013520764.tif 000011
【図１０】
2013520764.tif 000012
【図１１】
2013520764.tif 000013
【図１２】
2013520764.tif 000014
【図１３】
2013520764.tif 000015
【図１４】
2013520764.tif 000016
【図１５】
2013520764.tif 000017
【国際調査報告】
2013520764.tif 000018
2013520764.tif 000019
2013520764.tif 000020